(57)【要約】【課題】本発明の課題は、ユーザの好みでコマーシャル等の場面をカットする装置を提供することである。【解決手段】本体２において放映されている映像及び音声が出力されている際に、ユーザがリモートコントローラ３を最初に操作すると、リモートコントローラ３から第一操作信号が本体２に出力され、本体２において映像▲１▼が記憶されるとともに、計時が開始する。期間Ｔ経過後にユーザがリモートコントローラ３を再び操作すると、計時が終了する。そして、本体２において映像及び音声が出力されている際に、映像▲１▼と同じ映像の放送信号を受信すると、予め準備された特定映像が期間Ｔだけが出力されて、期間Ｔ後には元のように放送されている映像及び音声が本体２から出力される。【選択図】　　　　図２
2004023465.tif 000002
【特許請求の範囲】
【請求項１】
受信中の映像及び音声を出力するテレビジョン受像機において、
予め準備された映像を格納した手段と、
ユーザに操作される操作装置から出力された第一操作信号を入力する手段と、
前記第一操作信号の後に前記操作装置から出力された第二操作信号を入力する手段と、
前記第一操作信号を入力した時に受信した映像を記憶する記憶手段と、
前記第一操作信号を入力した時から前記第二操作信号を入力した時までの時間を計時する計時手段と、
受信中の映像が前記記憶手段によって記憶された映像に一致するか否かを判定する判定手段と、
前記判定手段によって一致すると判定された場合に、前記予め準備された映像を計時時間ぶんだけ出力し、その計時時間経過後に再び受信中の映像及び音声を出力する手段と、
を備えることを特徴とするテレビジョン受像機。
【請求項２】
受信中のチャンネルの映像及び音声を出力するテレビジョン受像機において、
ユーザに操作される操作装置から出力された第一操作信号を入力する手段と、
前記第一操作信号の後に前記操作装置から出力された第二操作信号を入力する手段と、
前記第一操作信号を入力した時に受信した映像を記憶する記憶手段と、
前記第一操作信号を入力した時から前記第二操作信号を入力した時までの時間を計時する計時手段と、
受信中の映像が前記記憶手段によって記憶された映像に一致するか否かを判定する判定手段と、
前記判定手段によって一致すると判定された場合に、前記受信中のチャンネルとは別のチャンネルの映像を計時時間ぶんだけ出力し、その計時時間経過後再び元のチャンネルの映像及び音声を出力する手段と、
を備えることを特徴とするテレビジョン受像機。
【請求項３】
受信中の映像及び音声を記憶媒体に記録する記録装置において、
ユーザに操作される操作装置から出力された第一操作信号を入力する手段と、
前記第一操作信号の後に前記操作装置から出力された第二操作信号を入力する手段と、
前記第一操作信号を入力した時に受信した映像を記憶する記憶手段と、
前記第一操作信号を入力した時から前記第二操作信号を入力した時までの時間を計時する計時手段と、
受信中の映像が前記記憶手段によって記憶された映像に一致するか否かを判定する判定手段と、
前記判定手段によって一致すると判定された場合に、前記受信中の映像及び音声を記録することを計時時間ぶんだけ停止し、その計時時間経過後再び前記受信中の映像及び音声を記憶媒体に記録する手段と、
を備えることを特徴とする記録装置。
【請求項４】
記憶媒体に記録された映像及び音声を再生する再生装置において、
ユーザに操作される操作装置から出力された第一操作信号を入力する手段と、
前記第一操作信号の後に前記操作装置から出力された第二操作信号を入力する手段と、
前記第一操作信号を入力した時に再生した映像を記憶する記憶手段と、
再生中の映像が前記記憶手段によって記憶された映像に一致するか否かを判定する判定手段と、
前記判定手段によって一致すると判定された場合に、再生中の映像及び音声を計時時間ぶんだけ早送りする手段と、
を備えることを特徴とする再生装置。
【発明の詳細な説明】
【０００１】
【発明の属する技術分野】
受信中の映像を出力するテレビジョン受像機、受信中の映像を記憶媒体に記憶する記録装置、及び記憶媒体に記録された映像を再生する再生装置に関する。
【０００２】
【従来の技術】
従来のテレビジョン受像機は、受信した放送信号に従った映像をそのまま表示する。ところで、放送にはコマーシャル等が含まれており、ユーザにとって見たくない映像が表示されることもある。そこで、コマーシャルカット機能を持ったテレビジョン受像機が開発されており、このような装置について特開平５−２４４５２０号公報、特開平５−３１６４４０号公報、特開平１０−９２０５２号公報に記載されている。
【０００３】
特開平５−２３３４２０号公報に記載されているテレビジョン受像機は、コマーシャルの音声モードがステレオモードであるということを利用して、コマーシャルカットを行っている。つまり、このテレビジョン受像機は、放送がコマーシャル放送になったら音声モードでコマーシャルを検知し、コマーシャル直前の映像をコマーシャルの代わりに表示する。これによってコマーシャルカットが自動的に為される。
【０００４】
特開平５−３１６４４０号公報に記載されているテレビジョン受像機は、放送がコマーシャル放送になったら音声モードでコマーシャルを検知し、自動的に他チャンネルに順次切り替えていく。
【０００５】
また、特開平１０−９２０５２号公報には、映像でコマーシャルを検出する技術について開示されている。
【０００６】
【発明が解決しようとする課題】
ところで、種々のコマーシャルのなかには興味深いコマーシャルもあり、そのようなコマーシャルを見たいユーザもいる。また、コマーシャル以外の場面もカットすることを望むユーザもいる。しかしながら、従来の装置では、そのようなユーザの欲求を満足するようなものではない。
そこで、本発明が解決しようとする課題は、ユーザの好みでコマーシャル等の場面をカットする装置を提供することである。
【０００７】
【課題を解決するための手段】
以上の課題を解決するために、請求項１記載の発明は、例えば図１、図３等に示すように、
受信中の映像及び音声を出力するテレビジョン受像機（例えば、本体２）において、
予め準備された映像を格納した手段（例えば、メモリ２９）と、
ユーザに操作される操作装置（例えば、リモートコントローラ３）から出力された第一操作信号を入力する手段（例えば、受光部２８、制御部３０）と、
前記第一操作信号の後に前記操作装置から出力された第二操作信号を入力する手段（例えば、受光部２８、制御部３０）と、
前記第一操作信号を入力した時に受信した映像を記憶する記憶手段（例えば、メモリ２９、制御部３０）と、
前記第一操作信号を入力した時から前記第二操作信号を入力した時までの時間を計時する計時手段（例えば、制御部３０）と、
受信中の映像が前記記憶手段によって記憶された映像に一致するか否かを判定する判定手段（例えば、制御部３０）と、
前記判定手段によって一致すると判定された場合に、前記予め準備された映像を計時時間ぶんだけ出力し、その計時時間経過後に再び受信中の映像及び音声を出力する手段（例えば、切替部２３、受像管２６）と、を備えることを特徴とする。
【０００８】
以上のように請求項１記載の発明では、ユーザが操作装置を操作することによって最初に第一操作信号が入力されて、その後第二操作信号が入力される。これにより、第一操作信号が入力された時の映像が記憶されて、第一操作信号が入力されてから第二操作時間が入力されるまでの時間が計時される。
そして、記憶された映像に受信中の映像が一致するか否かを判定手段によって判定されて、一致した場合には受信中の映像及び音声は出力されずに、予め格納された映像が出力される。予め格納された映像が出力される時間は、第一操作信号の入力時から第二操作信号の入力時までの時間と同じである。
従って、ユーザが操作装置を操作して、第一操作信号の入力時から第二操作信号の入力時までの場面と同じ場面が出力されない。つまり、ユーザの好まない場面においてユーザが操作装置を操作すれば、その場面と同じ場面の映像と音声が出力されず、別の映像が出力される。
【０００９】
請求項２記載の発明は、例えば図１、図３等に示すように、
受信中のチャンネルの映像及び音声を出力するテレビジョン受像機（例えば、本体２）において、
ユーザに操作される操作装置（例えば、リモートコントローラ３）から第一操作信号を入力する手段（例えば、受光部２８、制御部３０）と、
前記第一操作信号の後に前記操作装置から第二操作信号を入力する手段（例えば、受光部２８、制御部３０）と、
前記第一操作信号を入力した時に受信した映像を記憶する記憶手段（例えば、制御部３０、メモリ２４）と、
前記第一操作信号を入力した時から前記第二操作信号を入力した時までの時間を計時する計時手段（例えば、制御部３０）と、
受信中の映像が前記記憶手段によって記憶された映像に一致するか否かを判定する判定手段（例えば、制御部３０）と、
前記判定手段によって一致すると判定された場合に、前記受信中のチャンネルとは別のチャンネルの映像を計時時間ぶんだけ出力し、その計時時間経過後再び元のチャンネルの映像及び音声を出力する手段（例えば、受信部２１、受像管２６）と、を備えることを特徴とする。
【００１０】
以上のように請求項２記載の発明では、ユーザが操作装置を操作することによって最初に第一操作信号が入力されて、その後第二操作信号が入力される。これにより、第一操作信号が入力された時の映像が記憶されて、第一操作信号が入力されてから第二操作時間が入力されるまでの時間が計時される。
そして、記憶された映像に受信中の映像が一致するか否かを判定手段によって判定されて、一致した場合には受信中の映像及び音声は出力されずに、別のチャンネルの映像が出力される。別のチャンネルの映像が出力される時間は、第一操作信号の入力時から第二操作信号の入力時までの時間と同じである。
従って、ユーザが操作装置を操作して、第一操作信号の入力時から第二操作信号の入力時までの場面と同じ場面が出力されない。つまり、ユーザの好まない場面においてユーザが操作装置を操作すれば、その場面と同じ場面の映像と音声が出力されず、別のチャンネルの映像が出力される。
【００１１】
請求項３記載の発明は、例えば図１、図５に示すように、
受信中の映像及び音声を記録する記憶媒体（例えば、ビデオテープ４）に記録装置（例えば、本体２）において、
ユーザに操作される操作装置（例えば、リモートコントローラ３）から出力された第一操作信号を入力する手段（例えば、受光部２８、制御部３０）と、
前記第一操作信号の後に前記操作装置から出力された第二操作信号を入力する手段（例えば、受光部２８、制御部３０）と、
前記第一操作信号を入力した時に受信した映像を記憶する記憶手段（例えば、メモリ２９、制御部３０）と、
前記第一操作信号を入力した時から前記第二操作信号を入力した時までの時間を計時する計時手段（例えば、制御部３０）と、
受信中の映像が前記記憶手段によって記憶された映像に一致するか否かを判定する判定手段（例えば、制御部３０）と、
前記判定手段によって一致すると判定された場合に、前記受信中の映像及び音声を記録することを計時時間ぶんだけ停止し、その計時時間経過後再び前記受信中の映像及び音声を記憶媒体に記録する手段（例えば、記録ドライバ１２３）と、を備えることを特徴とする。
【００１２】
以上のように請求項３記載の発明では、ユーザが操作装置を操作することによって最初に第一操作信号が入力されて、その後第二操作信号が入力される。これにより、第一操作信号が入力された時の映像が記憶されて、第一操作信号が入力されてから第二操作時間が入力されるまでの時間が計時される。
そして、記憶された映像に受信中の映像が一致するか否かを判定手段によって判定されて、一致した場合には受信中の映像及び音声を記録することを停止する。映像及び音声の記録の停止時間は、第一操作信号の入力時から第二操作信号の入力時までの時間と同じである。
従って、ユーザが操作装置を操作して、第一操作信号の入力時から第二操作信号の入力時までの場面と同じ場面が出力されない。つまり、ユーザの好まない場面においてユーザが操作装置を操作すれば、その場面と同じ場面の映像と音声が記録されない。
【００１３】
請求項４記載の発明は、例えば図１、図６に示すように、
記憶媒体（例えば、ビデオテープ４）に記録された映像及び音声を再生する再生装置（例えば、本体２）において、
ユーザに操作される操作装置（リモートコントローラ３）から出力された第一操作信号を入力する手段（例えば、受光部２８、制御部３０）と、
前記第一操作信号の後に前記操作装置から出力された第二操作信号を入力する手段（例えば、受光部２８、制御部３０）と、
前記第一操作信号を入力した時に再生した映像を記憶する記憶手段（例えば、メモリ２９、制御部３０）と、
再生中の映像が前記記憶手段によって記憶された映像に一致するか否かを判定する判定手段（例えば、制御部３０）と、
前記判定手段によって一致すると判定された場合に、再生中の映像を計時時間ぶんだけ早送りする手段（例えば、再生ドライバ２２３）と、を備えることを特徴とする。
【００１４】
以上のように請求項４記載の発明では、ユーザが操作装置を操作することによって最初に第一操作信号が入力されて、その後第二操作信号が入力される。これにより、第一操作信号が入力された時の再生映像が記憶されて、第一操作信号が入力されてから第二操作時間が入力されるまでの時間が計時される。
そして、記憶された映像に再生中の映像が一致するか否かを判定手段によって判定されて、一致した場合には再生中の映像及び音声を早送りする。早送りされた映像と音声の時間は、第一操作信号の入力時から第二操作信号の入力時までの時間と同じである。
従って、ユーザが操作装置を操作して、第一操作信号の入力時から第二操作信号の入力時までの場面と同じ場面が早送りされる。つまり、ユーザの好まない場面においてユーザが操作装置を操作すれば、その場面と同じ場面の映像と音声が再生された場合に早送りされる。
【００１５】
【発明の実施の形態】
以下に、図面を用いて本発明の具体的な態様について説明する。ただし、発明の範囲を図示例に限定するものではない。
【００１６】
図１に示すように、本発明が適用されたテレビジョンシステム１は、本体２と、リモートコントローラ３とから構成されている。
【００１７】
本体２は、受信中のチャンネルの映像と音声を記録する記録装置と、記録された映像と音声を再生する再生装置と、受信中のチャンネルの映像と音声を出力するテレビジョン受像機とを兼ねたものであり、所謂ビデオデッキ一体型テレビジョンである。つまり、本体２は、受信した放送信号に従って映像を表示したり、受信した放送信号に従って音声を出力したり、受信した放送信号に従った映像及び音声をビデオテープ４に記録したり、ビデオテープ４に記録された映像及び音声を再生するとともに再生した映像及び音声を出力したりするものである。
【００１８】
リモートコントローラ３は、ユーザの操作内容に応じた操作信号を本体２へ出力送信するものである。これにより、ユーザは、リモートコントローラ３を操作することによって、種々のデータを本体２に入力したり、本体２に種々の指令をすることができる。本体２は、リモートコントローラ３から入力受信した操作信号に従った動作を行う。
【００１９】
テレビジョンシステム１の使用方法について説明する。図２を用いて説明する。なお、図２は、映像の時間経過を示すものである。
【００２０】
『放送されている映像及び音声を本体２が出力しているとき』
本体２が、放送信号を受信して放送信号に従った映像及び音声を表示している。その際、ユーザの見たくない場面（例えば、コマーシャル）が放映されたとすると、見たくない場面が始まった時に、ユーザはリモートコントローラ３を操作し、見たくない場面の始まった時の映像を指定する。ここで、図２において、映像▲１▼は、ユーザが最初にリモートコントローラ３で指定した時の映像である。
【００２１】
そして、見たくない場面の終わった時に、ユーザはリモートコントローラ３を操作し、見たくない場面の終わった時の映像を指定する。ここで、図２において、映像▲２▼は、ユーザが二回目にリモートコントローラ３で指定した時の映像であり、期間Ｔは、最初にユーザが指定した時から二回目にユーザが指定した時までの時間である。
【００２２】
引き続き、本体２は、放送信号を受信して放送信号に従った映像及び音声を表示し続ける。そして、本体２は、ユーザの見たくない場面の放送信号を受信した時に映像▲３▼（映像▲３▼は映像▲１▼と同じ映像である。）を表示せずに、自動的に別の映像を表示するとともにユーザの見たくない場面の音声を出力しない。ここで、チャンネルを変更することによって、別の映像を表示することとユーザの見たくない場面の音声を出力しないこととを行っても良いし、予め準備された映像を表示するとともにミュートすることによって、別の映像を表示することとユーザの見たくない場面の音声を出力しないことを行っても良い。
【００２３】
そして、映像▲３▼の放送信号を受信してから期間Ｔが経過するまで、本体２は、ユーザの見たくない場面を出力せずに、別の映像を表示し続けるとともに、ユーザの見たくない場面の音声を出力し続ける。そして、映像▲３▼の放送信号を受信してから期間Ｔが経過したら、本体２は映像と音声の出力を、映像▲３▼の放送信号受信前の状態に戻す。つまり、期間Ｔの経過後、本体２は、チャンネルを元に戻したり、予め準備された映像の表示を終了したり、ミュートを終了したりする。
【００２４】
以上のように、ユーザがリモートコントローラ３を操作することによって、見たくない場面の最初の映像とその場面の期間Ｔを予め設定することで、その場面が本体２から出力されない。従って、ユーザは見たくない場面を自由に選択することができる。
【００２５】
『放送されている映像及び音声を本体２が記録しているとき』
本体２が、放送信号を受信して放送信号に従った映像及び音声を表示している。その際、ユーザの見たくない場面（例えば、コマーシャル）が表示されたとする。見たくない場面が始まった時に、ユーザはリモートコントローラ３を操作し、見たくない場面が始まった時の映像▲１▼を指定する。そして、見たくない場面が終わった時に、ユーザはリモートコントローラ３を操作し、見たくない場面が終わった時の映像▲２▼を指定する。なお、本体２が録画をしている時に、映像▲１▼と映像▲２▼の指定をしても良い。
【００２６】
録画モードにおいては、本体２が、放送信号を受信して放送信号に従った映像及び音声をビデオテープ４に記録する。そして、本体２は、ユーザの見たくない場面の放送信号を受信した時に映像▲３▼を記録せず、ビデオテープ４を送ることを自動的に一旦停止して録画を停止する。そして、映像▲３▼の放送信号を受信してから期間Ｔが経過するまで、本体２は、ユーザの見たくない場面を録画せずに、録画を停止している。そして、映像▲３▼の放送信号を受信してから期間Ｔが経過したら、本体２は、放送信号に従った映像及び音声をビデオテープ４に記録することを再び開始し、その後録画を続ける。
【００２７】
以上のように、ユーザがリモートコントローラ３を操作することによって、見たくない場面の最初の映像とその場面の期間Ｔを予め設定することで、その場面がビデオテープ４に録画されない。従って、ユーザは見たくない場面を自由に選択することができる。
【００２８】
『ビデオテープ４に記録されている映像及び音声を再生するとき』
再生モードにおいては、本体２が、ビデオテープ４に記録された映像信号及び音声信号を読み出し、映像信号及び音声信号に従った映像及び音声を再生して表示している。その際、ユーザの見たくない場面（例えば、コマーシャル）が表示されたとすると、見たくない場面が始まった時に、ユーザはリモートコントローラ３を操作し、見たくない場面が始まった時の映像▲１▼を指定する。そして、見たくない場面が終わった時に、ユーザはリモートコントローラ３を操作し、見たくない場面が終わった時の映像▲２▼を指定する。
【００２９】
引き続き、本体２は、ビデオテープ４に記録された映像及び音声を再生し続けるとともに表示し続ける。そして、本体２は、ユーザの見たくない場面の最初の映像▲１▼を再生したとき、自動的にビデオテープ４を早送りする。ここで、本体２は、期間Ｔぶんだけビデオテープ４を早送りする。そして、期間Ｔぶんだけ早送りが終了したら、本体２は、引き続きビデオテープ４に記録された映像及び音声を再生していく。
【００３０】
以上のように、ユーザがリモートコントローラ３を操作することによって、見たくない場面の最初の映像とその場面の期間Ｔを予め設定することで、その場面が早送りされる。従って、ユーザは見たくない場面を自由に選択することができる。
【００３１】
次に、本体２においてテレビジョン受像機として機能する部分について説明する。
図３は、本体２においてテレビジョン受像機として機能する部分のブロック図である。図３に示すように、本体２のテレビジョン受像機は、受信部２１と、信号処理部２２と、切替部２３と、Ａ／Ｄ変換部２４と、Ｄ／Ａ変換部２５と、受像管（ＣＲＴ）２６と、スピーカ２７と、受光部２８と、メモリ２９と、制御部３０と、を具備する。
【００３２】
受光部２８は、リモートコントローラ３から受信した操作信号を受信して、その操作信号を制御部３０に出力するものである。
【００３３】
メモリ２９は、データの読み書き自在なものであって、例えば、ハードディスク、磁気ディスク、光ディスク、光磁気ディスク、フラッシュメモリ等である。また、メモリ２９には、予め準備された特定映像データが格納されている。
【００３４】
受信部２１はチューナ等を含み、アンテナ５で受信した放送信号が受信部２１に入力される。放送信号には、映像信号と音声信号が重畳されている。
【００３５】
受信部２１で受信した放送信号は信号処理部２２に出力される。信号処理部２２に入力された放送信号は、映像信号と音声信号に分離化される。そして、信号処理部２２によって放送信号から映像信号と音声信号が抽出される。抽出された映像信号と音声信号は、切替部２３に出力され、抽出された映像信号はＡ／Ｄ変換部２４に出力される。
【００３６】
切替部２３に入力された映像信号は、原則的に受像管２６に出力されて、映像信号に従った映像が受像管２６にて表示される。また、切替部２３に入力された音声信号は、原則的にスピーカ２７に出力されて、音声信号に従った音声がスピーカ２７にて出力される。
【００３７】
Ａ／Ｄ変換部２４に入力された映像信号は、Ａ／Ｄ変換部２４にてデジタルの映像データに変換される。そして、映像データは、Ａ／Ｄ変換部２４から制御部３０へと出力される。
【００３８】
制御部３０は、ＣＰＵ３１と、ＲＡＭ３２と、ＲＯＭ３３とから構成されている。ＲＯＭ３３には、本体２全体を制御するためのプログラムが格納されている。ＣＰＵ３１が、ＲＡＭ３３を作業領域としてＲＯＭ３３に格納されたプログラムに従った演算を行えるととともに、受光部２８からの信号に従った演算を行える。ＣＰＵ３１の演算によって制御部３０が本体２全体を制御することができる。なお、Ａ／Ｄ変換部２４から制御部３０へ映像データが常時出力されるが、ＲＡＭ３２において新たな映像データに常時更新されている。
【００３９】
制御部３０の処理として、映像記録処理がある。映像記録処理とは、以下のような処理である。即ち、ユーザがリモートコントローラ３を操作して、リモートコントローラ３から受光部２８を介して制御部３０へ第一操作信号が出力された場合、第一操作信号が制御部３０に入力した時に制御部３０に入力した映像データを、制御部３０がメモリ２９に格納する。メモリ２９に記録された映像データは第一操作信号を入力した時の映像のデータであり、その映像は静止画である。なお、このような映像記録処理をプログラムによる処理ではなく、専用の論理回路によって行っても良い。
【００４０】
また、制御部３０の処理として、タイマー処理がある。タイマー処理とは、以下のような処理である。即ち、ユーザがリモートコントローラ３を操作して、リモートコントローラ３から受光部２８を介して制御部３０へ第一操作信号が出力された場合、制御部３０は計時を開始する。そして、第一操作信号の後に、ユーザがリモートコントローラ３を操作して、リモートコントローラ３から受光部２８を介して制御部３０へ第二操作信号が出力された場合、制御部３０は計時を終了する。そして、制御部３０は、第一操作信号を入力してから第二操作信号を入力するまでの時間をメモリ２９に格納する。この際、制御部３０は、先ほどの映像記録処理においてメモリ２９に記録した映像データと、計時時間とを対応づけてメモリ２９に格納する。このように、ユーザがリモートコントローラ３を操作するごとに、映像データと計時時間とが対応づけられてメモリ２９に格納されていくが、制御部３０は映像データ及び計時時間に固有のＩＤを付すことで、メモリ２９には図４に示すようなデータベースが構築されることになる。なお、このようなタイマー処理をプログラムによる処理ではなく、専用の論理回路によって行っても良い。
【００４１】
また、制御部３０の制御として、映像比較判定処理がある。映像比較判定処理とは、以下のような処理である。即ち、制御部３０は、メモリ２９に記録された映像データをＲＡＭ３２に読み込む。そして、制御部３０は、Ａ／Ｄ変換部２４から連続して入力される映像データと、メモリ２９から読み込んだ映像データとを常時比較する。そして、制御部３０は、Ａ／Ｄ変換部２４から入力される映像データと、メモリ２９から読み込んだ映像とが互いに同じであるか否かを常時判定する。そして、Ａ／Ｄ変換部２４から入力される映像と、メモリ２９から読み込んだ映像とが互いに同じである場合には、制御部３０は、メモリ２９の映像データに対応づけられた計時時間ぶんだけの一致判定信号を受信部２１に出力したり、或いは、その計時時間ぶんだけの一致判定信号を切替部２３に出力したりする。
【００４２】
ここで、一致判定信号を入力している受信部２１は、チャンネルを変えて（つまり、放送信号の電波周波数帯域を変えて）、別のチャンネルの放送信号を受信して、別の放送信号を信号処理部２２に出力する。受信部２１が別のチャンネルに変えている時間は、一致判定信号を入力している時間であり、つまり、メモリ２９に格納された計時時間である。従って、その計時時間の間、別のチャンネルの映像が受像管２６から出力されるとともに、別のチャンネルの音声がスピーカ２７から出力される。そして、メモリ２９に格納された計時時間が経過したら、制御部３０から受信部２１へ入力される一致判定信号が停止し、受信部２１は、元のチャンネルの放送信号を受信して、元のチャンネルの放送信号を信号処理部２２へ出力する。これにより、メモリ２９に格納された計時時間が経過したら、元のチャンネルの映像と音声が出力される。
【００４３】
一方、制御部３０が一致判定信号を切替部２３に出力している時には、切替部２３は、信号処理部２２から入力した映像信号を遮断して、受像管２６に映像信号を出力することとを停止するとともに、信号処理部２２から入力した音声信号を遮断して、スピーカ２７に音声信号を出力することを停止する。この時、制御部３０は、メモリ２９に予め格納された特定映像データを読み込んで、特定映像データをＡ／Ｄ変換部２５に出力している。特定映像データを入力したＡ／Ｄ変換部２５は特定映像データを特定映像信号に変換して、切替部２３に出力する。特定映像信号を入力した切替部２３は、その特定映像信号を受像管２６に出力する。つまり、一致判定信号を入力した切替部２３は、入力する映像信号の入力をＤ／Ａ変換部２５に切り替える。これにより、メモリ２９に格納された計時時間ぶんだけ特定映像が受像管２６において表示され、計時時間が経過したら放送信号による映像が受像管２６において再び表示される。
【００４４】
以上のように、ユーザがリモートコントローラ３を最初に操作することで、その時の映像が記録されとともに計時が開始し、次にリモートコントローラ３を操作することで計時が終了する。これにより、ユーザは好みでない場面を本体２に対して設定することができる。そして、設定された場面と同じ場面が放映されようともその場面の映像及び音声が本体２で出力されずに、別の特定映像が表示されたり、別のチャンネルの映像が表示されたりする。
【００４５】
次に、本体２において記録装置として機能する部分について説明する。
図５は、本体２において記録装置として機能する部分のブロック図である。本体２の記録装置については、テレビジョン受像機と同様の構成に同一の符号を付す。
【００４６】
図５に示すように、本体２の記録装置は、受信部２１と、信号処理部２２と、記録ドライバ１２３と、Ａ／Ｄ変換部２４と、Ｄ／Ａ変換部１２５と、受光部２８と、メモリ２９と、制御部３０と、を具備する。
【００４７】
受信部２１で受信した放送信号は信号処理部２２に出力される。信号処理部２２に入力された放送信号は、映像信号と音声信号に分離化される。信号処理部２２によって放送信号から映像信号と音声信号が抽出される。抽出された映像信号と音声信号は、記録ドライバ１２３に出力され、抽出された映像信号はＡ／Ｄ変換部２４に出力される。
【００４８】
記録ドライバ１２３は、ビデオテープ４を送る送り装置と、信号処理部２２から入力した映像信号及び音声信号をビデオテープ４に記録するヘッド等とから構成されており、制御部３０に制御されることによって映像と音声をビデオテープ４に記録するものである。
【００４９】
Ａ／Ｄ変換部２４に入力された映像信号は、Ａ／Ｄ変換部２４にてデジタルの映像データに変換される。そして、映像データは、Ａ／Ｄ変換部２４から制御部３０へと出力される。
【００５０】
制御部３０は、ＲＯＭ３３のプログラム及び受光部２８からの信号に従ったＣＰＵ３１の演算によって、本体２全体を制御することができる。
【００５１】
制御部３０の制御として、録画処理がある。録画処理とは、録画モードにおける制御部３０の処理であって、以下のような処理である。即ち、制御部３０が記録ドライバ１２３に録画を行わせる。つまり、制御部３０からの指令に従って記録ドライバ１２３がビデオテープ４を駆動して、信号処理部２２から入力されてくる映像信号及び音声信号をビデオテープ４に記録していく。
【００５２】
また、録画モードにおける制御部３０の処理として、映像記録処理がある。映像記録処理とは、以下のような処理である。即ち、録画モードにおいてユーザがリモートコントローラ３を操作して、リモートコントローラ３から受光部２８を介して制御部３０へ第一操作信号が出力された場合、第一操作信号が制御部３０に入力した時に制御部３０に入力した映像データを、制御部３０がメモリ２９に格納する。メモリ２９に記録された映像データは第一操作信号を入力した時の映像のデータであり、その映像は静止画である。
【００５３】
また、録画モードにおける制御部３０の処理として、タイマー処理がある。タイマー処理とは、以下のような処理である。即ち、録画モードにおいてユーザがリモートコントローラ３を操作して、リモートコントローラ３から受光部２８を介して制御部３０へ第一操作信号が出力された場合、制御部３０は計時を開始する。そして、第一操作信号の後に、ユーザがリモートコントローラ３を操作して、リモートコントローラ３から受光部２８を介して制御部３０へ第二操作信号が出力された場合、制御部３０は計時を終了する。そして、制御部３０は、第一操作信号を入力してから第二操作信号を入力するまでの時間をメモリ２９に格納する。この際、制御部３０は、記録モードの映像記録処理においてメモリ２９に記録した映像データと、計時時間とを対応づけて、更にＩＤを付してメモリ２９に格納する。これにより、メモリ２９にデータベースが構築される。
【００５４】
また、録画モードにおける制御部３０の処理として、映像比較判定処理がある。映像比較判定処理とは、以下のような処理である。即ち、制御部３０は、メモリ２９に記録された映像データをＲＡＭ３２に読み込む。なお、読み込む映像データは、録画モードにおいてメモリ２９に記録された映像データでも良いし、本体２がテレビジョン受像機として機能している時にメモリ２９に記録された映像データでも良い。
【００５５】
そして、制御部３０は、Ａ／Ｄ変換部２４から連続して入力される映像データと、メモリ２９から読み込んだ映像データとを常時比較する。そして、制御部３０は、Ａ／Ｄ変換部２４から入力される映像データと、メモリ２９から読み込んだ映像とが互いに同じであるか否かを常時判定する。そして、Ａ／Ｄ変換部２４から入力される映像と、メモリ２９から読み込んだ映像とが互いに同じである場合には、制御部３０は、メモリ２９の映像データに対応づけられた計時時間ぶんだけの一致判定信号を記録ドライバ１２３に出力する。
【００５６】
ここで、一致判定信号を入力している記録ドライバ１２３は、ビデオテープ４を駆動することを停止する。つまり、制御部３０は、一致判定信号を記録ドライバ１２３に出力することによって、記録ドライバ１２３での録画を停止する。これにより、記録ドライバ１２３は、映像信号及び音声信号をビデオテープ４に記録することを停止する。
【００５７】
そして、メモリ２９に格納された計時時間が経過したら、制御部３０から記録ドライバ１２３へ入力される一致判定信号が停止し、記録ドライバ１２３は、信号処理部２２から入力した映像信号及び音声信号をビデオテープ４に記録することを再び開始する。
【００５８】
以上のように、ユーザがリモートコントローラ３を操作することで、好みでない場面を本体２に対して設定することができる。そして、設定された場面と同じ場面が放映されようともその場面の映像及び音声がビデオテープ４に記録されない。
【００５９】
次に、本体２において再生装置として機能する部分について説明する。
図６は、本体２において再生装置として機能する部分のブロック図である。本体２の再生装置については、テレビジョン受像機と同様の構成に同一の符号を付す。
【００６０】
図６に示すように、本体２の再生装置は、再生ドライバ２２３と、信号処理部２２２と、Ａ／Ｄ変換部２２４と、制御部３０と、メモリ２９と、受光部２８と、を備える。
【００６１】
再生ドライバ２２３は、ビデオテープ４を送る送り装置と、ビデオテープ４に記録された映像信号及び音声信号を読み取るヘッド等とから構成されており、制御部３０に制御されることによってビデオテープ４の映像と音声を再生するものである。なお、再生ドライバ２２３は、記録装置の記録ドライバ１２３と兼ねても良い。
【００６２】
再生ドライバ２２３によって読み出された映像信号及び音声信号は信号処理部２２２へ出力される。信号処理部２２２に入力された映像信号は映像出力として受像管２６（図３に図示）へ出力され、信号処理部２２２に入力された音声信号は音声出力としてスピーカ２７（図３に図示）へ出力される。更に、信号処理部２２２へ入力された映像信号は、Ａ／Ｄ変換部２２４へ出力される。
【００６３】
Ａ／Ｄ変換部２２４に入力された映像信号は、Ａ／Ｄ変換部２２４にてデジタルの映像データに変換される。そして、映像データは、Ａ／Ｄ変換部２２４から制御部３０へと出力される。
【００６４】
制御部３０は、ＲＯＭ３３のプログラム及び受光部２８からの信号に従ったＣＰＵ３１の演算によって、本体２全体を制御することができる。
【００６５】
制御部３０の制御として、再生処理がある。再生処理とは、再生モードにおける制御部３０の処理であって、以下のような処理である。即ち、制御部３０が、再生ドライバ２２３に再生を行わせる。つまり、制御部３０からの指令に従って再生ドライバ２２３がビデオテープ４を駆動して、ビデオテープ４から映像信号及び音声信号を読み取って信号処理部２２２へ出力する。
【００６６】
また、再生モードにおける制御部３０の処理として、映像記録処理がある。映像記録処理とは、以下のような処理である。即ち、再生モードにおいてユーザがリモートコントローラ３を操作して、リモートコントローラ３から受光部２８を介して制御部３０へ第一操作信号が出力された場合、第一操作信号が制御部３０に入力した時にＡ／Ｄ変換部２２４から出力された映像データを、制御部３０がメモリ２９に格納する。メモリ２９に記録された映像データは第一操作信号を入力した時の映像のデータであり、その映像は静止画である。
【００６７】
また、再生モードにおける制御部３０の処理として、タイマー処理がある。タイマー処理とは、以下のような処理である。即ち、再生モードにおいてユーザがリモートコントローラ３を操作して、リモートコントローラ３から受光部２８を介して制御部３０へ第一操作信号が出力された場合、制御部３０は計時を開始する。そして、第一操作信号の後に、ユーザがリモートコントローラ３を操作して、リモートコントローラ３から受光部２８を介して制御部３０へ第二操作信号が出力された場合、制御部３０は計時を終了する。そして、制御部３０は、第一操作信号を入力してから第二操作信号を入力するまでの時間をメモリ２９に格納する。この際、制御部３０は、再生モードの映像記録処理においてメモリ２９に記録した映像データと、計時時間とを対応づけて、更にＩＤを付してメモリ２９に格納する。これにより、メモリ２９にデータベースが構築される。
【００６８】
また、録画モードにおける制御部３０の処理として、映像比較判定処理がある。映像比較判定処理とは、以下のような処理である。即ち、制御部３０は、メモリ２９に記録された映像データをＲＡＭ３２に読み込む。なお、読み込む映像データは、再生モードにおいてメモリ２９に記録された映像データでも良いし、録画モードにおいてメモリ２９に記録された映像データでも良いし、本体２がテレビジョン受像機として機能している時にメモリ２９に記録された映像データでも良い。
【００６９】
そして、制御部３０は、Ａ／Ｄ変換部２２４から連続して入力される映像データと、メモリ２９から読み込んだ映像データとを常時比較する。そして、制御部３０は、Ａ／Ｄ変換部２２４から入力される映像データと、メモリ２９から読み込んだ映像とが互いに同じであるか否かを常時判定する。そして、Ａ／Ｄ変換部２２４から入力される映像と、メモリ２９から読み込んだ映像とが互いに同じである場合には、制御部３０は、一致判定信号を再生ドライバ２２３に出力する。
【００７０】
一致判定信号を入力した再生ドライバ２２３は、ビデオテープ４を早送りする。ここで、メモリ２９の映像データに対応づけられた計時時間ぶんだけ早送りする。そして、メモリ２９に格納された計時時間ぶんだけビデオテープ４を早送りしたら、再生ドライバ２２３は早送りを止め、通常の再生のようにビデオテープ４から映像信号及び音声信号を読み取って信号処理部２２２へ出力する。
【００７１】
以上のように、ユーザがリモートコントローラ３を操作することで、好みでない場面を本体２に対して設定することができる。そして、設定された場面と同じ場面が再生されようともその場面が早送りされる。
【００７２】
なお、本発明は、上記実施の形態に限定されることなく、本発明の趣旨を逸脱しない範囲において、種々の改良並びに設計の変更を行っても良い。
例えば、本体２はビデオデッキ一体型テレビジョンであったが、ビデオデッキとテレビジョンが別体であっても良い。
また、本体２で記録する媒体、又は本体２で読み込む媒体がビデオテープ４であったが、ＤＶＤ、ハードディスク等といった別の記憶媒体でも良い。勿論、媒体がビデオテープ４以外の媒体である場合、本体２の構成をその媒体を読み書きできるようなハード構成とすることは勿論である。
また、実質的に表示する部分のハード構成が受像管２６であったが、液晶表示ディスプレイであっても良いし、ＥＬディスプレイであっても良いし、プラズマディスプレイであっても良い。
【００７３】
【発明の効果】
以上のように、本発明によれば、ユーザの好みでない場面の映像が、表示されなかったり、記憶媒体に記録されなかったり、早送りされたりする。ユーザの好みでない場面は、ユーザが操作装置を操作することで自由に設定することができる。
【図面の簡単な説明】
【図１】図１は、本発明が適用されたテレビジョンシステムの外観斜視図である。
【図２】図２は、映像の推移を示した図面である。
【図３】図３は、テレビジョンシステムの本体の構成を示したブロック図である。
【図４】図４は、本体のメモリに格納されるデータ構成の一例を示したデータテーブルである。
【図５】図５は、テレビジョンシステムの本体の構成を示したブロック図である。
【図６】図６は、テレビジョンシステムの本体の構成を示したブロック図である。
【符号の説明】
１　　　テレビジョンシステム
２　　　本体
３　　　リモートコントローラ
４　　　ビデオテープ
２１　　　受信部
２２　　　信号処理部
２３　　　切替部
２６　　　受像管
２８　　　受光部
２９　　　メモリ
３０　　　制御部
１２３　　　記録ドライバ
２２２　　　信号処理部
２２３　　　再生ドライバ
【図１】
2004023465.tif 000003
【図２】
2004023465.tif 000004
【図３】
2004023465.tif 000005
【図４】
2004023465.tif 000006
【図５】
2004023465.tif 000007
【図６】
2004023465.tif 000008